(57)【要約】本発明は、ページ閲覧方法、装置、電子機器及び機械可読媒体を提供し、タッチ技術分野に属する。該ページ閲覧方法は、スライド閲覧類ページのシーンには、受信したユーザからの第１タッチ操作によって閲覧方式の設定を起動するステップと、ユーザの入力に応答して閲覧方式を設定するステップと、閲覧方式の設定結果に基づいて、連続ページを自動的に閲覧するステップとを含む。【選択図】図１
2020523692.tif 000002
【特許請求の範囲】
【請求項１】
ページ閲覧方法であって、
スライド閲覧類ページのシーンには、受信したユーザからの第１タッチ操作に応じて閲覧方式の設定を起動するステップと、
ユーザの入力に応答して前記閲覧方式を設定するステップと、
前記閲覧方式の設定結果に基づいて、連続ページを自動的に閲覧するステップとを含むページ閲覧方法。
【請求項２】
ユーザの入力に応答して前記閲覧方式を設定するステップは、
タッチスクリーンにおけるユーザのスライド操作の方向と速度を取得するステップと、
前記スライド操作の方向と速度に基づいて、前記閲覧方式の設定結果を得るステップと、
前記ユーザからの第２タッチ操作に応答して前記閲覧方式の設定を終了させるステップとを含む請求項１に記載の方法。
【請求項３】
ユーザの入力に応答して前記閲覧方式を設定するステップは、
各種の自動スライド閲覧の方式を示す、前記ユーザが選択する１つ又は複数のオプションを表示するステップと、
前記ユーザが前記オプションの１つを選択する操作に応じて、前記閲覧方式の設定を終了させるステップと、
前記ユーザが選択した前記オプションを前記閲覧方式の設定結果として決定するステップとを含む請求項１に記載の方法。
【請求項４】
前記閲覧が前記連続ページの末端まで到達したことを検出すると、前記連続ページに対する自動閲覧を停止させるステップをさらに含む請求項１に記載の方法。
【請求項５】
前記ユーザからの第３タッチ操作を検出すると、前記連続ページに対する自動閲覧を停止させるステップをさらに含む請求項１に記載の方法。
【請求項６】
前記第１タッチ操作は、前記ユーザが前記スライド閲覧類ページのシーンにおける設定起動応答領域に行った操作である請求項１に記載の方法。
【請求項７】
前記閲覧方式の設定を起動するステップは、
半透明状態の設定ページに入るステップを含む請求項１に記載の方法。
【請求項８】
３ＤＴｏｕｃｈタッチスクリーンに適用できる請求項１〜７のいずれか１項に記載の方法。
【請求項９】
ページ閲覧装置であって、
スライド閲覧類ページのシーンには、受信したユーザからの第１タッチ操作に応じて閲覧方式の設定を起動するように構成される起動モジュールと、
ユーザの入力に応答して前記閲覧方式を設定するように構成される設定モジュールと、
前記閲覧方式の設定結果に基づいて、連続ページを自動的に閲覧するように構成される自動閲覧モジュールとを備えるページ閲覧装置。
【請求項１０】
電子機器であって、
プロセッサと、
前記プロセッサによって実行可能な機械実行可能命令が記憶される非一時的な記憶媒体とを備え、
前記機械実行可能命令を読み取って実行すると、前記プロセッサに請求項１〜８いずれかに記載の方法を実行させる電子機器。
【請求項１１】
機械実行可能命令が記憶される機械可読媒体であって、
前記機械実行可能命令は、プロセッサによって実行されると、請求項１〜８のいずれか１項に記載の方法を実現する機械可読媒体。
【発明の詳細な説明】
【技術分野】
【０００１】
本発明全体は、タッチ技術分野に関する。
（関連出願の相互参照）
本特許出願は、２０１７年９月２７日に提出した、出願番号が２０１７１０８８９３５７．３、発明名称が「連続ページを閲覧する方法、装置及び電子機器」の中国特許出願の優先権を主張し、該出願の全内容は引用によって本明細書に組み込まれている。
【背景技術】
【０００２】
ユーザが携帯電話でニュースやソーシャルアプリケーションを閲覧するとき、通常、その詳細を知りたいのではなく、概要を簡単に閲覧したいだけであるが、携帯電話タッチスクリーンに１回表示できる内容が限られ、その結果、ユーザが閲覧中に、多くの内容をロードするために、連続的に指でタッチスクリーンにおいて上へスライドさせる又は下へスライドさせる操作によってページをめくる必要がある。
【０００３】
従って、従来技術の技術案は、連続ページを自動的に閲覧することを実現できず、閲覧ページをスライドさせるには連続的な手動操作が必要であり、改善の余地がある。
【０００４】
前記背景技術に開示されている上記情報は、本発明の背景をさらに理解するためのものに過ぎず、したがって、当業者に知られている従来技術を構成しない情報を含んでもよい。
【発明の概要】
【発明が解決しようする課題】
【０００５】
本発明は、ページ閲覧方法、装置、電子機器及び機械可読媒体を提供し、上記技術課題を解決する。
【課題を解決するための手段】
【０００６】
本発明のその他の特徴及び利点は、以下の詳細な説明により明らかになり、又はその一部は、本発明を実施することによって把握できる。
【０００７】
本発明の一形態によれば、ページ閲覧方法を提供し、
スライド閲覧類ページのシーンには、受信したユーザからの第１タッチ操作によって閲覧方式の設定を起動するステップと、
ユーザの入力に応答して閲覧方式を設定するステップと、
前記閲覧方式の設定結果に基づいて、連続ページを自動的に閲覧するステップとを含む。
【０００８】
本発明では、ユーザの入力に応答して閲覧方式を設定するステップは、
前記タッチスクリーンにおけるユーザのスライド操作の方向と速度を取得するステップと、
前記スライド操作の方向と速度に基づいて、前記閲覧方式の設定結果を得るステップと、
前記ユーザからの第２タッチ操作に応答して前記閲覧方式の設定を終了させるステップとを含む。
【０００９】
本発明では、ユーザの入力に応答して前記閲覧方式を設定するステップは、
各種の自動スライド閲覧の方式を示す、前記ユーザが選択する１つ又は複数のオプションを表示するステップと、
前記ユーザが前記オプションの１つを選択する操作に応じて、前記閲覧方式の設定を終了させるステップと、
前記ユーザが選択した前記オプションを前記閲覧方式の設定結果として決定するステップとを含む。
【００１０】
本発明では、前記閲覧が前記連続ページの末端まで到達したことを検出すると、前記連続ページに対する自動閲覧を停止させる。
【００１１】
本発明では、当前記ユーザからの第３タッチ操作を検出すると、前記連続ページに対する自動閲覧を停止させる。
【００１２】
本発明では、前記第１タッチ操作は、前記ユーザが前記スライド閲覧類ページのシーンにおける設定起動応答領域に行った操作である。
【００１３】
本発明では、前記閲覧方式の設定を起動するステップは、
半透明状態の設定ページに入るステップを含む。
【００１４】
本発明では、前記方法は、３ＤＴｏｕｃｈタッチスクリーンに適用できる。
【００１５】
本発明の他の形態によれば、ページ閲覧装置を提供し、
スライド閲覧類ページのシーンには、受信したユーザからの第１タッチ操作によって閲覧方式の設定を起動するように構成される起動モジュールと、
ユーザの入力に応答して前記閲覧方式を設定するように構成される設定モジュールと、
前記閲覧方式の設定結果に基づいて、連続ページを自動的に閲覧するように構成される自動閲覧モジュールとを備える。
【００１６】
本発明の他の一形態によれば、プロセッサと、機械実行可能命令が記憶される非一時的な記憶媒体とを備える電子機器を提供し、前記機械実行可能命令を読み取って実行すると、前記プロセッサに以上の方法を実行させる。
【００１７】
本発明の他の形態によれば、機械実行可能命令が記憶される機械可読媒体を提供し、前記機械実行可能命令は、プロセッサによって実行されると、以上の方法を実現する。
【００１８】
（発明の効果）
本発明の実施形態に係るページ閲覧方法、装置、電子機器及び機械可読媒体においては、スライド閲覧類ページのシーンにはユーザの入力に基づいて連続ページの閲覧設定を行い、次に、設定した結果に基づいて連続ページを自動的に閲覧し、つまり、連続的な手動タッチ操作を介せずに、ページの連続的かつ自動的なロードを実現し、ユーザインタラクション体験を向上させる。また、連続ページの閲覧設定は、携帯電話自体の３ＤＴｏｕｃｈ技術だけによって実現でき、インターフェースにいかなる余分なアイコンも追加せず、インターフェース空間を節約できる。
【００１９】
なお、以上の一般的な説明と以下の詳細な説明は例示的なものに過ぎず、本発明を限定するためのものではない。
【図面の簡単な説明】
【００２０】
図面を参照しながら、その例示的な実施形態を詳しく説明することにより、本発明の上記及び他の目的、特徴及び利点は明らかになる。
【図１】本発明の実施形態に係るページ閲覧方法のフローチャートである。
【図２】本発明の実施形態におけるスライド閲覧類ページのシーンの模式図である。
【図３】本発明の実施形態におけるステップＳ１２０のフローチャートである。
【図４】本発明の実施形態における設定ページの模式図である。
【図５】本発明の実施形態におけるステップＳ１２０のフローチャートである。
【図６】本発明の実施形態における設定ページの模式図である。
【図７】本発明の他の実施形態に係るページ閲覧装置の模式図である。
【図８】本発明の他の実施形態における設定モジュールの模式図である。
【図９】本発明の他の実施形態における他の設定モジュールの模式図である。
【図１０】本発明の他の実施形態に係る他のページ閲覧装置の模式図である。
【図１１】本発明の他の実施形態に係るページ閲覧方法の適用する電子機器の構造模式図である。
【発明を実施するための形態】
【００２１】
以下、図面を参照しながら、例示的な実施形態について全面的に説明する。しかし、例示的な実施形態は、複数の形態で実施でき、ここで記述された例に限られると理解してはいけない。むしろ、これらの実施形態を提供することで、本発明を全面的かつ完全にし、例示的な実施形態の発想を当業者に全面的に伝える。図面は、本発明の概略図に過ぎず、必ずしも比例で描かれているものではない。図面中の同一の符号は、同一又は類似した部分を示しているので、それらに対する繰り返し説明が省略される。
【００２２】
また、説明される特徴、構造又は特性は１つ又は複数の実施形態において任意の適切な方法で組み合わせることができる。以下の説明では、多くの具体的な詳細を提供することで、本発明の実施形態の十分な理解を提供する。しかし、当業者にとって明らかなように、前記具体的な詳細のうちの１つ以上を省略したり、又は他の方法、ユニット、装置、ステップ等を用いたりして、本発明の技術案を実施することができる。他の場合には、本発明の各形態が不明瞭になることを避けるように、周知構造、方法、装置、実装、材料又は操作が詳細に示されていない又は説明されていない。
【００２３】
図面に示されるブロック図の一部は機能エンティティであり、必ずしも物理的又は論理的に別個のエンティティに対応する必要はない。ソフトウェア形態でこれらの機能エンティティを実装し、又は１つ又は複数のハードウェアモジュール又は集積回路にこれらの機能エンティティを実装し、又は異なるネットワーク及び／又はプロセッサ装置及び／又はマイクロコントローラ装置においてこれらの機能エンティティを実装することができる。
【００２４】
本発明の目的、技術案及び利点を理解しやすくするために、以下、具体的な実施形態を組み合わせて、図面を参照しながら、本開について更に詳細に説明する。
【００２５】
関連実施形態では、閲覧するページに、上スライドボタンと下スライドボタンを含むフローティングボタンを追加し、且つ該上スライドボタン又は下スライドボタンを長押しして、ページを上へスライドさせる又は下へスライドさせることで、連続ページを自動的に閲覧することを実現でき、ひいては、上下左右の４つの方向のボタンを設置して、異なる方向に連続ページを自動的に閲覧することを実現でき、しかし、フローティングボタンを設置するウィンドウをインターフェースに追加する必要があるため、インターフェース空間を占有するとともに、制限があり、特定のアプリケーションのみに限られる。又は、ページの自動ロードのためにサードパーティツール（たとえば外部マウス又は外部タッチパッドを追加する）の使用が必要であり、付加的な機器を増設する必要があり、携帯性が低いという欠点を持つ。
【００２６】
以上から分かるように、関連実施形態では、連続ページのスライド閲覧は、手動操作を必要とし、指でページにおいて直接スライドしなくても、手動介入を必要とするため、手動介入なしに、連続ページを自動的に閲覧することを実現していない。
【００２７】
以上を基礎として、本発明は、３ＤＴｏｕｃｈ技術に基づいて閲覧方式を設定し、３ＤＴｏｕｃｈ技術とは、物理的には、「タップ」操作にＰｅｅｋ（ピーク）とＰｏｐ（ポップ）の２つの垂直方向の押圧検出方法を追加して、タッチが「タップ」の１種の操作から「タップ」、「ピーク」、「ポップ」という３つの操作になり、感圧タッチの目的を実現することであり、それにより、少ないステップで目的を実現でき、高速かつ容易にインタラクションすることができる。
【００２８】
図１は、本発明の一実施形態に係る連続ページの閲覧方法のフローチャートを示し、該方法は、３ＤＴｏｕｃｈタッチスクリーンに用いられ、ステップＳ１１０〜ステップＳ１３０を含む。
【００２９】
図１に示されるように、ステップＳ１１０では、スライド閲覧類ページのシーンには、受信したユーザからの第１タッチ操作によって閲覧方式の設定を起動する。
【００３０】
図１に示されるように、ステップＳ１２０では、ユーザの入力に応答して閲覧方式を設定する。
【００３１】
図１に示されるように、ステップＳ１３０では、閲覧方式の設定結果に基づいて、連続ページを自動的に閲覧する。
【００３２】
本実施形態では、スライド閲覧類ページのシーンは、連続的にロードする必要があるウィーチャットモーメンツ、今日頭条ニュース等のシーンを含むが、これらに限られず、それに対応して、連続ページは、モーメンツのページ、又は今日頭条等のニュースページ、又は携帯電話スクリーンに１回で完全に表示できずスライドにより残りの内容を表示する必要があるその他のページを含み得る。
【００３３】
図２は、本実施形態におけるスライド閲覧類ページのシーンの模式図を示し、持続的にロードできる複数の情報アイテムを含む。上記関連実施形態の記載によれば、すべて手動介入し、すなわち、ページを上又は下へスライドさせてページの連続的なロードを実現することを必要とする。本実施形態では、図２に示されるシーンに入った後、閲覧方式を設定し、設定が完了すると、ページを自動的にスライドでき、また、ページの自動スライド中、手動作業を介せずに設定した方向と速度のとおりに連続ページを自動的に閲覧することができる。
【００３４】
本実施形態では、ステップＳ１１０では、スライド閲覧類ページのシーンにおける「設定起動応答領域」において第１タッチ操作を実行することで、閲覧方式の設定を起動し、半透明状態の設定ページに入る。ここで、「設定起動応答領域」は、閲覧方式の設定を起動する応答領域として、文字領域、空白領域等の非画像領域であってもよい。携帯電話等の移動端末機器に画像をピーク操作は、通常、デフォルトで図面を開く操作とされ、すなわち、ピクチャーを画像ビューモードでインターフェースに表示させるため、ユーザの現在の操作習慣と矛盾することを避けるために、非画像領域において第１トリガー操作で閲覧方式の設定を起動する。本実施形態では、第１タッチ操作は、３ＤＴｏｕｃｈ操作のうちのピーク操作であってもよい。
【００３５】
なお、ステップＳ１２０において、ユーザの入力に応答して閲覧方式を設定する方式は、複数種あり、本実施形態では、以下の実施形態を挙げてそれぞれ説明する。
【００３６】
図３は、本実施形態におけるステップＳ１２０のフローチャートを示し、ステップＳ３１〜ステップＳ３３ステップを含む。
【００３７】
図３に示されるように、ステップＳ３１では、タッチスクリーンにおけるユーザのスライド操作の方向と速度を取得する。
【００３８】
図３に示されるように、ステップＳ３２では、スライド操作の方向と速度に基づいて、閲覧方式の設定結果を得る。本実施形態では、閲覧方式の設定結果は、連続ページを自動的に閲覧する方向と速度を含む。
【００３９】
図３に示されるように、ステップＳ３３では、ユーザからの第２タッチ操作に応答して設定を終了させる。本実施形態では、第２タッチ操作は、３ＤＴｏｕｃｈ操作のうちのポップ操作であってもよい。
【００４０】
タッチスクリーンによって、ユーザの指がスライドしている方向と速度を検出して、閲覧方式の設定結果とし、つまり、検出した指のスライド方向は、連続ページを自動的に閲覧する方向となり、検出した指のスライド速度は、連続ページを自動的に閲覧する速度となり、このように設定すると、設定した方向と速度に従って連続ページを自動的に閲覧すれば、手動スライドページの操作を完全にシミュレートすることができ、ユーザが所望した、連続ページを自動的に閲覧する効果を満たすことができる。
【００４１】
なお、本実施形態におけるステップは、実現過程を説明しやすくするためのものにすぎず、ステップを実行する順序を限定するものではなく、たとえば、上記ステップＳ３１でユーザの指がタッチスクリーン上をスライドする方向と速度を取得すれば、ステップＳ３２における閲覧方式の設定結果を取得できる。
【００４２】
図４は、実施形態１における設定ページの模式図を示し、ステップＳ１１０で閲覧方式の設定を起動した後、図４に示される設定ページに入る。図４に示すように、設定ページは、半透明状態であり、すなわち、図２に示されるページに「スライドめくりの方向と速度を検出し始める」が表示されたページを追加し、指でタッチスクリーン上をスライドすることで設定することをユーザに通知し、ユーザの指のスライド方向と速度を取得して閲覧方式の設定結果を取得した後、３ＤＴｏｕｃｈのポップ操作によって設定を終了させる。
【００４３】
次に、図２に示されるページに戻り、設定した閲覧方式の方向と速度に従って連続ページを自動的に閲覧し始め、多くの情報アイテムをロードし、それにより、ユーザは主動作業を介せずに閲覧することができ、連続ページの末端に到達したことを検出すると、連続ページの自動閲覧を停止させ、又は第３タッチ操作を検出すると、連続ページの自動閲覧を手動停止させる。本実施形態では、第３タッチ操作は、３ＤＴｏｕｃｈ操作のうちのタップ操作であってもよい。
【００４４】
図３のフローチャート及び図４に示される模式図によれば、本実施形態は、連続ページを自動的に閲覧する方向と速度をカスタマイズ方式で設定し、設定した結果に基づいて連続ページを自動的に閲覧することにより、自動化閲覧を実現でき、ユーザへ良好なインタラクション体験を提供する。
【００４５】
以上のように、一例では、スライド閲覧類ページのシーンには、３ＤＴｏｕｃｈ及びユーザによるカスタマイズ入力に基づいて閲覧方式を設定し、次に、設定した結果に基づいて連続ページを自動的に閲覧し、つまり、連続的な手動タッチ操作を介せずに、ページの連続的かつ自動的なロードを実現し、ユーザインタラクション体験を向上させる。また、閲覧方式の設定は、携帯電話自体の３ＤＴｏｕｃｈ技術だけによって実現でき、このため、インターフェースにいかなる余分なアイコンも追加せず、インターフェース空間を節約できる。さらに、該方法は、携帯電話自体の３ＤＴｏｕｃｈだけによって実現でき、いかなるサードパーティツールのサポートにも依頼せず、このため、簡単かつ容易に使用できる。
【００４６】
他の例では、図５は、本実施形態におけるステップＳ１２０のフローチャートを示し、ステップＳ５１〜ステップＳ５３を含む。
【００４７】
図５に示されるように、ステップＳ５１では、ユーザが選択する１つ又は複数のオプションを表示し、これらの１つ又は複数のオプションは、たとえば高速上スライド、等速上スライド、等速下スライド及び高速下スライドを含む各種の自動スライド閲覧の方式を示す。なお、本実施形態では、一般的に使用されている４種の自動スライド閲覧方式を例とするが、実際に使用するとき、これらの４種の連続ページの自動閲覧方式以外、ユーザのニーズに応じてより多くの種類のオプション、たとえば低速上スライド、低速下スライド等を提供することができ、本発明は、これについては特に限定しない。
【００４８】
図５に示すように、ステップＳ５２では、ユーザが選択したオプションを閲覧方式の設定結果として決定する。閲覧方式の設定結果は、連続ページを自動的に閲覧する方向と速度を含む。
【００４９】
本実施形態では、ユーザが上記ステップＳ３１で提供された複数のオプションから選択した１つのオプションに基づいて、ユーザが利用したい閲覧方式を得ることができ、閲覧方式には、連続ページを自動的に閲覧する方向と速度を含み、すなわち、方向は、上へスライドするか下へスライドするかを示し、速度は、高速スライド、等速スライドであるか低速スライドであるかを示し、それにより、ユーザが所望した、連続ページを自動的に閲覧する効果を満たす。
【００５０】
図５に示されるように、ステップＳ５３では、ユーザが任意のオプションを選択する操作によって設定を終了させる。ステップＳ５２では、ユーザが指で対応するオプションをクリックすることでオプションの選択操作を完了させた後、設定を終了させる。
【００５１】
なお、本実施形態におけるステップは、実現過程を説明しやすくするためのものにすぎず、ステップを実行する順序を限定するものではなく、たとえば、上記ステップＳ５３でユーザの指が複数のオプションのうちのいずれかのボタンをクリックすることで選定したオプションを取得すると、ステップＳ５２における閲覧方式の設定結果を取得し、その直後、設定が終了する。
【００５２】
図６は、設定ページの模式図を示し、ステップＳ１１０で連続ページの閲覧設定を起動した後、図６に示される設定ページに入り、図６に示すように、設定ページは、半透明状態であり、つまり、図２に示されるページに複数オプションが表示されたページを追加する。同様に、高速上スライド、等速上スライド、等速下スライド及び高速下スライドという４種類の連続ページの自動閲覧方式を例として、図６は、「高速上スライド」、「等速上スライド」、「等速下スライド」及び「高速下スライド」の４つのオプションを示し、ユーザが指を任意の１つのオプションに移動させて該オプションを選択すると指を放すと、選択を完了させて設定を終了させ、３ＤＴｏｕｃｈのポップ操作を不要とする。
【００５３】
次に、図２に示されるページに戻り、設定した連続ページを自動的に閲覧する方向と速度に従って、連続ページを自動的に閲覧し始め、多くの情報アイテムをロードし、それにより、ユーザは、手動干渉を介せずに閲覧でき、連続ページの末端に到達したことを検出すると、連続ページに対する自動的な閲覧を停止させ、又は第３タッチ操作を検出すると、連続ページに対する自動的な閲覧を手動で停止させる。本実施形態では、第３タッチ操作は、３ＤＴｏｕｃｈ操作のうちのタップ操作であってもよい。
【００５４】
図５のフローチャート及び図６に示される模式図に基づいて、本実施形態は、連続ページを自動的に閲覧する方向と速度をオプション方式で設定し、設定した結果に従って連続ページを自動的に閲覧することができ、自動化閲覧を実現でき、ユーザへ良好なインタラクション体験を提供する。
【００５５】
以上のように、３ＤＴｏｕｃｈ及びユーザが選択したオプションに基づいて、スライド閲覧類ページのシーンにおける閲覧方式を設定し、次に、設定した結果に基づいて連続ページを自動的に閲覧することができ、つまり、連続的な手動タッチ操作を介せずに、ページの連続的かつ自動的なロードを実現し、ユーザインタラクション体験を向上させる。また、閲覧方式の設定は、携帯電話自体の３ＤＴｏｕｃｈ技術だけによって実現でき、インターフェースにいかなる余分なアイコンを追加せず、このため、インターフェース空間を節約できる。さらに、該方法は、携帯電話自体の３ＤＴｏｕｃｈだけによって実現でき、いかなるサードパーティツールのサポートにも依頼せず、このため、簡単かつ容易に使用できる。
【００５６】
上記実施形態及び図３〜図６に示されるように、本発明は、カスタマイズ及びオプション方式で閲覧方式を設定する方式を提供し、勿論、本発明の他の実施形態では、連続ページを自動的に閲覧する方向と速度の設定を多様化の設定方式で完了でき、たとえば、自動スライド閲覧のデフォルト方向を上又は下に固定し、次にスライダー方式で閲覧の速度を選択することによっても、閲覧方向と速度を設定することができ、類似した方式は複数種あり、本明細書では一つ一つ挙げず、当業者が想到しうる３ＤＴｏｕｃｈ技術に基づく連続ページの自動閲覧の設定方式であれば、本発明に係る方法の保護範囲に属する。
【００５７】
図７は、本発明の他の実施形態に係るページ閲覧装置の模式図を示し、該装置は、３ＤＴｏｕｃｈタッチスクリーンに用いられ、図７に示すように、該装置７００は、起動モジュール７１０、設定モジュール７２０及び自動閲覧モジュール７３０を備える。
【００５８】
起動モジュール７１０は、第１タッチ操作によってスライド閲覧類ページのシーンにおける閲覧方式の設定を起動して設定ページに入るように構成され、設定モジュール７２０は、前記設定ページにおけるユーザの入力に応答して閲覧方式を設定するように構成される、自動閲覧モジュール７３０は、前記閲覧方式の設定結果に基づいて、前記スライド閲覧類ページのシーンにおける連続ページを自動的に閲覧するように構成される。
【００５９】
本実施形態では、起動モジュール７１０は、スライド閲覧類ページのシーンにおける設定起動応答領域においてピーク操作によって閲覧方式の設定を起動し、半透明状態の設定ページに入る。ここで、「設定起動応答領域」は、閲覧方式の設定を起動する応答領域として、文字領域、空白領域域等の非画像領域であってもよい。携帯電話等の移動端末機器にピクチャーをピーク操作は、通常、デフォルトで図面を開く操作とされ、すなわち、ピクチャーを画像ビューモードでインターフェースに表示するため、ユーザの現在の操作習慣と矛盾することを避けるために、非画像領域においてピーク操作によって閲覧方式の設定を起動する。
【００６０】
上記実施形態に係る方法に対応して、図８は、本実施形態における設定モジュールの模式図を示し、設定モジュール８２０は、カスタマイズサブモジュール８２１、第１結果サブモジュール８２２及び第１設定終了サブモジュール８２３を備える。
【００６１】
カスタマイズサブモジュール８２１は、ユーザがタッチスクリーン上でスライドする方向と速度を設定ページにおいて取得するように構成される。第２結果サブモジュール８２２は、指スライド方向と速度に基づいて、閲覧方式の設定結果を得るように構成され、閲覧方式の設定結果は、連続ページを自動的に閲覧する方向と速度を含む。第２設定終了サブモジュール８２３は、第２タッチ操作によって設定を終了させるように構成される。本実施形態では、第２タッチ操作は３ＤＴｏｕｃｈ操作のうちのポップ操作であってもよい。
【００６２】
図８に示される設定モジュールが設定するページ模式図は、図４に示され、図８に示される設定モジュールは、連続ページを自動的に閲覧する方向と速度をカスタマイズ方式で設定し、設定した結果に従って連続ページを自動的に閲覧し、自動化閲覧を実現でき、ユーザへ良好なインタラクション体験を提供する。
【００６３】
上記実施形態に係る方法に対応して、図９は、本実施形態における他の設定モジュールの模式図を示し、設定モジュール９２０は、オプションサブモジュール９２１、第２結果サブモジュール９２２及び第２設定終了サブモジュール９２３を備える。
【００６４】
オプションサブモジュール９２１は、ユーザが選択する１つ又は複数のオプションを設定ページにおいて表示するように構成され、１つ又は複数のオプションは、たとえば、高速上スライド、等速上スライド、等速下スライド及び高速下スライドを含む各種の自動スライド閲覧の方式を示す。第１結果サブモジュール９２２は、ユーザが選択したオプションを閲覧方式の設定結果として決定するように構成され、閲覧方式の設定結果は、連続ページを自動的に閲覧する方向と速度を含む。第１設定終了サブモジュール９２３は、ユーザがオプションを選択する操作によって設定を終了させるように構成される。ユーザの指で対応するオプションをクリックすることで、オプションの選択を完了させて設定を終了させる。
【００６５】
図９に示される設定モジュールが設定するページ模式図は、図６に示され、図９に示される設定モジュールは、連続ページを自動的に閲覧する方向と速度をオプションの方式で設定し、設定した結果に従って連続ページを自動的に閲覧し、自動化閲覧を実現でき、ユーザへ良好なインタラクション体験を提供する。
【００６６】
図１０は、さらに、ページ閲覧装置の模式図を示し、起動モジュール１０１０、設定モジュール１０２０及び自動閲覧モジュール１０３０を備える以外、ページの末端まで閲覧したことを検出すると、連続ページに対する自動的な閲覧を停止させ、又は第３タッチ操作を検出すると、連続ページに対する自動的な閲覧を手動停止させるように構成される自動閲覧停止モジュール１０４０をさらに備える。本実施形態では、第３タッチ操作は、３ＤＴｏｕｃｈ操作のうちのタップ操作であってもよい。
【００６７】
図７と図１０に示される装置における各モジュールの機能は、上記方法の実施形態における関連説明を参照すればよく、ここでは、詳しく説明しない。
【００６８】
本実施形態に係るページ閲覧装置は、上記ページ閲覧方法と同じ技術的効果を実現でき、ここでは、詳しく説明しない。
【００６９】
一方、本発明は、プロセッサと、上記プロセッサが以下の方法を制御するための操作命令が記憶される記憶媒体とを備える電子機器をさらに提供する。
【００７０】
第１タッチ操作によってスライド閲覧類ページのシーンにおける閲覧方式の設定を起動して設定ページに入り、設定ページにおけるユーザの入力に応答して閲覧方式を設定し、閲覧方式の設定結果に基づいて、スライド閲覧類ページのシーンにおける連続ページを自動的に閲覧する。
【００７１】
以下、図１１を参照すると、上記ページ閲覧方法の適用する電子機器１１００の構造模式図を示す。図１１に示される電子機器は、１つの例に過ぎず、本発明の実施形態の機能と使用範囲を限定するものではない。
【００７２】
図１１に示すように、電子機器１１００は、読み出し専用メモリ（ＲＯＭ）１１０２に記憶されたプログラム又は記憶部分１１０７からランダムアクセスメモリ（ＲＡＭ）１１０３にロードされたプログラムに基づいて、様々な適切な動作と処理を実行できる中央処理ユニット（ＣＰＵ）１１０１を備える。ＲＡＭ１１０３には、電子機器１１００の操作に必要な様々なプログラムやデータがさらに記憶されている。ＣＰＵ１１０１、ＲＯＭ１１０２及びＲＡＭ１１０３がバス１１０４を介して互いに接続される。入力／出力（Ｉ／Ｏ）インターフェース１１０５もバス１１０４に接続される。
【００７３】
キーボード、マウスなどを含む入力部分１１０６、たとえばブラウン管（ＣＲＴ）、液晶ディスプレイ（ＬＣＤ）など及びスピーカなどを含む出力部分１１０７、ハードディスクなどを含む記憶部分１１０８、及びたとえばＬＡＮカード、モデムなどのネットワークインターフェースカードを含む通信部分１１０９という部材は、Ｉ／Ｏインターフェース１１０５に接続される。通信部分１１０９は、たとえばインターネットのネットワークを経由して通信処理を実行する。ドライバ１１１０も、必要に応じてＩ／Ｏインターフェース１１０５に接続される。取り外し可能媒体１１１１、たとえば磁気ディスク、コンパクトディスク、光磁気ディスク、半導体メモリなどは、これらから読み出したコンピュータプログラムを必要に応じて記憶部分１１０８にインストールするように、必要に応じてドライバ１１１０に取り付けられる。
【００７４】
特に、本発明の実施形態によれば、フローチャートを参照して説明した以上の過程は、コンピュータソフトウェアプログラムとして実装できる。たとえば、本発明の実施形態は、コンピュータ可読媒体に担持されるコンピュータプログラムを含むコンピュータプログラム製品を含み、該コンピュータプログラムは、フローチャートに示される方法を実行するためのプログラムコードを含む。このような実施形態では、該コンピュータプログラムは、通信部分１１０９を介してネットワークからダウンロード・インストールし、及び／又は、取り外し可能媒体１１１１からインストールすることができる。該コンピュータプログラムは、中央処理ユニット（ＣＰＵ）１１０１によって実行されると、本願のシステムに限定される上記機能を実行する。
【００７５】
なお、本発明に示される機械可読記憶媒体は、機械可読信号媒体、又は機械可読媒体、又は上記両者の任意の組み合わせであってもよい。機械可読媒体は、たとえば、電気、磁気、光学、電磁、赤外線、又は半導体のシステム、装置又はデバイス、又は任意の以上の組み合わせであってもよいが、それらに限られない。機械可読媒体のより具体的な例は、１つ又は複数のワイヤを有する電気的接続、ポータブルコンピュータ磁気ディスク、ハードディスク、ランダムアクセスメモリ（ＲＡＭ）、読み出し専用メモリ（ＲＯＭ）、消去可能なプログラム可能な読み取り専用メモリ（ＥＰＲＯＭ又はフラッシュメモリ）、光ファイバ、ポータブルコンパクトディスク読み出し専用メモリ（ＣＤ−ＲＯＭ）、光記憶装置、磁気記憶装置、又は上記の任意の適切な組み合わせを含むが、それらに限られない。本発明では、機械可読媒体は、プロクラムを含む又は記憶するいかなる有形媒体であってもよく、該プログラムは、命令実行システム、装置又はデバイスによって、又はそれらと組み合わせて使用できる。本発明では、機械可読信号媒体は、ベースバンドにおいて又は搬送波の一部として伝搬するデータ信号を含んでもよく、それにはコンピュータ可読プログラムコードが保持されている。このように伝搬するデータ信号は、複数種の形態を用いることができ、電磁信号、光信号又は以上の任意の適切な組み合わせを含むが、それらに限られない。機械可読信号媒体は、命令実行システム、装置又はデバイスによって又はそれらと組み合わせて使用できるプログラムを送信、伝搬又は伝送できるコンピュータ可読媒体以外の任意の機械可読媒体であってもよい。機械可読媒体に含まれる命令コードは、任意の適切な媒体で伝送でき、無線、ワイヤ、ケーブル、ＲＦなど、又は以上の任意の適切な組み合わせを含むが、それらに限られない。
【００７６】
図面中のフローチャートとブロック図は、本発明の各実施形態によるシステム、方法及びコンピュータプログラム製品の実装できるアーキテクチャ、機能及び操作を示す。これについては、フローチャート又はブロック図中の各ブロックは、１つのモジュール、ブロック、又はコードの一部であり得て、上記モジュール、ブロック、又はコードの一部は、規定される論理機能を実装するための１つ又は複数の実行可能命令を含む。なお、いくつかの代替としての実装では、ブロックにおいてマークされる機能は、図面中のマークと異なる順序で発生してもよい。たとえば、連続して示される２つのブロックは、実際には、それらに係る機能によって、並行実行される場合があり、逆の順序に従って実行される場合もある。ただし、ブロック図又はフローチャート中の各ブロック、及びブロック図又はフローチャート中のブロックの組み合わせは、規定される機能又は操作を実行した、ハードウェアに基づく専用のシステムで実装されてもよく、又は、専用ハードウェアと機械命令の組み合わせで実装されてもよい。
【００７７】
本発明の実施形態に係るユニットは、ソフトウェアによって実装されてもよく、ハードウェアによって実装されてもよい。説明されたユニットは、プロセッサに設置されてもよく、たとえば、「プロセッサであって、送信ユニット、取得ユニット、決定ユニット及び第１処理ユニットを備える」と記述してもよい。ここでは、これらのユニットの名称は特定の場合に該ユニットそのものを限定するものではなく、たとえば、送信ユニットは、さらに「接続されるサーバに図面取得要求を送信するユニット」として記述してもよい。
【００７８】
別の態様では、本発明は、さらに、機械可読媒体を提供しており、該機械可読媒体は上記実施形態で説明された機器に含まれてもよく、該機器に組み立てられずに、個別存在してもよい。上記機械可読媒体は、機械可読命令が担持され、上記機械可読命令が該機器で実行されると、該機器に以下の方法ステップを実行させる。
【００７９】
スライド閲覧類ページのシーンには、受信したユーザからの第１タッチ操作によって閲覧方式の設定を起動するステップと、ユーザの入力に応答して閲覧方式を設定するステップと、閲覧方式を設定した結果に基づいて、連続ページを自動的に閲覧するステップと。
【００８０】
本発明は特定の例を作成および使用する方法を説明したが、本発明の原理はこれらの例の詳細に限られないことを理解すべきである。むしろ、本発明に開示されている内容の示唆に基づいて、これらの原理は多くの他の実施形態に適用される。
【００８１】
以上は、本発明の例示的な実施形態を具体的に示して説明する。なお、本発明は、ここで説明された詳細構造、設置形態又は実装方法に限られない。むしろ、本発明は、添付の特許請求の範囲の精神と範囲内のさまざまな改定と等価設置を含む。
【図１】
2020523692.tif 000003
【図２】
2020523692.tif 000004
【図３】
2020523692.tif 000005
【図４】
2020523692.tif 000006
【図５】
2020523692.tif 000007
【図６】
2020523692.tif 000008
【図７】
2020523692.tif 000009
【図８】
2020523692.tif 000010
【図９】
2020523692.tif 000011
【図１０】
2020523692.tif 000012
【図１１】
2020523692.tif 000013
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
ページ閲覧方法であって、
スライド閲覧類ページのシーンには、受信したユーザからの第１タッチ操作に応じて閲覧方式の設定を起動するステップと、
ユーザの入力に応答して前記閲覧方式を設定するステップと、
前記閲覧方式の設定結果に基づいて、連続ページを自動的に閲覧するステップとを含むページ閲覧方法。
【請求項２】
ユーザの入力に応答して前記閲覧方式を設定するステップは、
タッチスクリーンにおけるユーザのスライド操作の方向と速度を取得するステップと、
前記スライド操作の方向と速度に基づいて、前記閲覧方式の設定結果を得るステップと、
前記ユーザからの第２タッチ操作に応答して前記閲覧方式の設定を終了させるステップとを含む請求項１に記載の方法。
【請求項３】
ユーザの入力に応答して前記閲覧方式を設定するステップは、
各種の自動スライド閲覧の方式を示す、前記ユーザが選択する１つ又は複数のオプションを表示するステップと、
前記ユーザが前記オプションの１つを選択する操作に応じて、前記閲覧方式の設定を終了させるステップと、
前記ユーザが選択した前記オプションを前記閲覧方式の設定結果として決定するステップとを含む請求項１に記載の方法。
【請求項４】
前記閲覧が前記連続ページの末端まで到達したことを検出すると、前記連続ページに対する自動閲覧を停止させるステップをさらに含む請求項１〜３のいずれか１項に記載の方法。
【請求項５】
前記ユーザからの第３タッチ操作を検出すると、前記連続ページに対する自動閲覧を停止させるステップをさらに含む請求項１〜４のいずれか１項に記載の方法。
【請求項６】
前記第１タッチ操作は、前記ユーザが前記スライド閲覧類ページのシーンにおける設定起動応答領域に行った操作である請求項１〜５のいずれか１項に記載の方法。
【請求項７】
前記閲覧方式の設定を起動するステップは、
半透明状態の設定ページに入るステップを含む請求項１〜６のいずれか１項に記載の方法。
【請求項８】
３ＤＴｏｕｃｈタッチスクリーンに適用できる請求項１〜７のいずれか１項に記載の方法。
【請求項９】
前記第１タッチ操作は、３Ｄ  Ｔｏｕｃｈ操作のうちのピーク操作であり、前記第１タッチ操作は、３Ｄ  Ｔｏｕｃｈ操作のうちのポップ操作であり、前記第１タッチ操作は、３Ｄ  Ｔｏｕｃｈ操作のうちのタップ操作である、請求項１に記載の方法。
【請求項１０】
ページ閲覧装置であって、
スライド閲覧類ページのシーンには、受信したユーザからの第１タッチ操作に応じて閲覧方式の設定を起動するように構成される起動モジュールと、
ユーザの入力に応答して前記閲覧方式を設定するように構成される設定モジュールと、
前記閲覧方式の設定結果に基づいて、連続ページを自動的に閲覧するように構成される自動閲覧モジュールとを備えるページ閲覧装置。
【請求項１１】
電子機器であって、
プロセッサと、
前記プロセッサによって実行可能な機械実行可能命令が記憶される非一時的な記憶媒体とを備え、
前記機械実行可能命令を読み取って実行すると、前記プロセッサに請求項１〜９いずれかに記載の方法を実行させる電子機器。
【請求項１２】
機械実行可能命令が記憶される機械記憶媒体であって、
前記機械実行可能命令は、プロセッサによって実行されると、請求項１〜９のいずれか１項に記載の方法を実現する機械記憶媒体。
【国際調査報告】
2020523692.tif 000014
2020523692.tif 000015
2020523692.tif 000016
2020523692.tif 000017